(57)【特許請求の範囲】
【請求項１】
収容部が形成された絶縁樹脂製の筐体と、この筐体の収容部に直列に並んで収納された複数の電池と、上記筐体の収容部の開口部を覆う蓋体からなり、上記筐体の収容部側面に、上記電池の長手方向に伸出するアーム状とし、この先端部または中間部の少なくとも一方を上記電池の外周に弾接する弾性突片を形成すると共に、この弾性突片の上記電池との当接部を、上記蓋体の方向へ上記電池を付勢するように傾斜させた電池収容器。
【発明の詳細な説明】
【０００１】
【発明の属する技術分野】
本発明は、主にリモコン送信機やデジタルカメラ等の携帯用の各種電子機器に用いられる電池収容器に関するものである。
【０００２】
【従来の技術】
近年、リモコン送信機やデジタルカメラ等の、特に携帯用の電子機器においては、機器内の電池収容器に複数の電池を収容し、この電池を電源として機器の電気的・機械的動作を行うものが増えている。
【０００３】
このような従来の電池収容器について、リモコン送信機を例として図４及び図５を用いて説明する。
【０００４】
図４は従来のリモコン送信機の断面図、図５は同裏面視の分解斜視図であり、同図において、１は箱状で絶縁樹脂製の筐体で、この筐体１には表面よりも窪んだ収容部１Ａが設けられると共に、収容部１Ａには複数の電池２が直列に並んで収納され、この収容部１Ａの開口部を蓋体３が覆って、電池収容器８が形成されている。
【０００５】
そして、複数の電池２の両端には、回路基板５に装着された金属線製で円錐渦巻き状の電極５Ａや、平面渦巻き状の電極５Ｂが弾接して、マイコンや各種電子部品によって回路基板５に形成された制御部５Ｄや、赤外線発光ダイオード等の送信部５Ｅに電源が供給されるように構成されている。
【０００６】
また、蓋体３裏面にはスポンジ等の緩衝部材４が貼付され、蓋体３を閉じた状態でこの緩衝部材４を電池２に弾接させることによって、機器携帯時の電池２のガタつきを防ぎ、電源の供給が確実に行われるように構成されている。
【０００７】
さらに、７は複数のキー孔７Ａが形成されたケース、６はゴム等によって成形された弾性接点体で、弾性接点体６の複数の突状の操作キー６Ａがケース７のキー孔７Ａから突出すると共に、この操作キー６Ａの下面には、回路基板５に形成された複数の固定接点５Ｃと所定の間隙を空けて対向する、複数の可動接点６Ｂが形成されている。
【０００８】
そして、回路基板５の固定接点５Ｃや制御部５Ｄ、送信部５Ｅが、回路基板５上下面に形成された複数の配線パターン（図示せず）によって接続されて、リモコン送信機が構成されている。
【０００９】
以上の構成において、テレビやエアコン等の電子機器に送信部５Ｅを向けて、例えば電源操作等の所定の操作キー６Ａを押圧操作すると、制御部５Ｄが記憶したリモコンデータの中から、この電源操作用のリモコンデータを電気信号として出力し、この電気信号によって送信部５Ｅが赤外線のリモコン信号を電子機器へ送信する。
【００１０】
そして、この赤外線のリモコン信号を電子機器内の受信機（図示せず）が受信して、例えば電子機器の電源の入／切が遠隔操作によって行われるように構成されているものであった。
【００１１】
【発明が解決しようとする課題】
しかしながら上記従来の電池収容器８においては、携帯時等の電池２のガタつき防止用に、蓋体３裏面に緩衝部材４を貼付しているため、構成部品数が多くなると共に、組立てにも時間を要するという課題があった。
【００１２】
本発明は、このような従来の課題を解決するものであり、構成部品数が少なく、組立ても容易で安価な電池収容器を提供することを目的とする。
【００１３】
【課題を解決するための手段】
上記目的を達成するために本発明は、以下の構成を有するものである。
【００１４】
本発明の請求項１に記載の発明は、収容部が形成された絶縁樹脂製の筐体と、この筐体の収容部に直列に並んで収納された複数の電池と、上記筐体の収容部の開口部を覆う蓋体からなり、上記筐体の収容部側面に、上記電池の長手方向に伸出するアーム状とし、この先端部または中間部の少なくとも一方を上記電池の外周に弾接する弾性突片を形成すると共に、この弾性突片の上記電池との当接部を、上記蓋体の方向へ上記電池を付勢するように傾斜させた電池収容器を構成したものであり、筐体と一体に形成された弾性突片によって電池を確実に保持できるため、構成部品数が少なく、組立ても容易で安価な電池収容器を得ることができるという作用を有する。
また、弾性突片を電池の長手方向に伸出するアーム状とすることによって、弾性突片を充分に撓ませ、大きな荷重で電池に弾接できるため、電池を確実に保持することができると共に、弾性突片の当接部を傾斜させ、電池を蓋体の方向へ付勢することによって、弾性突片の弾接方向に加え、これと直交方向への電池の保持も行うことができるという作用を有する。
【００１７】
【発明の実施の形態】
以下、本発明の実施の形態について、リモコン送信機を例として図１〜図３を用いて説明する。
【００１８】
なお、従来の技術の項で説明した構成と同一構成の部分には同一符号を付して、詳細な説明を簡略化する。
【００１９】
（実施の形態）
図１は本発明の一実施の形態によるリモコン送信機の断面図、図２は同裏面視の分解斜視図であり、同図において、１１は箱状で絶縁樹脂製の筐体で、この筐体１１には表面よりも窪んだ収容部１１Ａが設けられると共に、収容部１１Ａには複数の電池２が直列に並んで収納され、この収容部１１Ａの開口部を蓋体１２が覆っている。
【００２０】
そして、複数の電池２の両端には、回路基板５に装着された金属線製で円錐渦巻き状の電極５Ａや、平面渦巻き状の電極５Ｂが弾接して、マイコンや各種電子部品によって回路基板５に形成された制御部５Ｄや、赤外線発光ダイオード等の送信部５Ｅに電源が供給されるように構成されている。
【００２１】
また、筐体１１の収容部１１Ａ側面には、図３（ａ）の部分斜視図に示すように、電池２の長手方向に伸出するアーム状の弾性突片１１Ｂが形成されると共に、弾性突片１１Ｂの先端部と中間部には、電池２の方へ突出した二つの当接部１１Ｃが設けられ、弾性突片１１Ｂが撓んで、この当接部１１Ｃが複数の電池２の外周に各々弾接することによって、機器携帯時等の電池２のガタつきを防ぎ、電源の供給が確実に行われるように構成されている。
【００２２】
さらに、この当接部１１Ｃは、電池２を蓋体１２の方向へ付勢するように、蓋体１２側は低く、収容部１１Ａ底面側は高く突出して形成され、これによって電池２が蓋体１２に弾接しているため、電池２は弾性突片１１Ｂが弾接した横方向に加え、これと直交する縦方向にも保持されて、電池収容器１３が形成されている。
【００２３】
また、７は複数のキー孔７Ａが形成されたケース、６はゴム等によって成形された弾性接点体で、弾性接点体６の複数の突状の操作キー６Ａがケース７のキー孔７Ａから突出すると共に、この操作キー６Ａの下面には、回路基板５に形成された複数の固定接点５Ｃと所定の間隙を空けて対向する、複数の可動接点６Ｂが形成されている。
【００２４】
そして、回路基板５の固定接点５Ｃや制御部５Ｄ、送信部５Ｅが、回路基板５上下面に形成された複数の配線パターン（図示せず）によって接続されて、リモコン送信機が構成されている。
【００２５】
以上の構成において、テレビやエアコン等の電子機器に送信部５Ｅを向けて、例えば電源操作等の所定の操作キー６Ａを押圧操作すると、制御部５Ｄが記憶したリモコンデータの中から、この電源操作用のリモコンデータを電気信号として出力し、この電気信号によって送信部５Ｅが赤外線のリモコン信号を電子機器へ送信する。
【００２６】
そして、この赤外線のリモコン信号を電子機器内の受信機（図示せず）が受信して、例えば電子機器の電源の入／切が遠隔操作によって行われる。
【００２７】
このように本実施の形態によれば、筐体１１の収容部１１Ａ側面に、電池２の外周に弾接する弾性突片１１Ｂを形成して電池収容器１３を構成することによって、筐体１１と一体に形成された弾性突片１１Ｂで電池２を確実に保持できるため、構成部品数が少なく、組立ても容易で安価な電池収容器を得ることができるものである。
【００２８】
また、弾性突片１１Ｂを電池２の長手方向に伸出するアーム状とし、この先端部や中間部の当接部１１Ｃを電池２に弾接させることによって、弾性突片１１を充分に撓ませ、大きな荷重で電池２に弾接できるため、電池２を確実に保持することができる。
【００２９】
さらに、弾性突片１１Ｂの電池２との当接部１１Ｃを、蓋体１２の方向へ電池２を付勢するように傾斜させることによって、弾性突片１１Ｂの弾接方向に加え、これと直交方向への電池２の保持も行うことができる。
【００３２】
なお、以上の説明では、当接部１１Ｃを、蓋体１２側は低く、収容部１１Ａ底面側は高く形成して、電池２を蓋体１２の方向へ付勢する構成について説明したが、図３（ｂ）に示すように、複数の弾性突片１１Ｂを設け、この先端部に形成された当接部１１Ｃを複数の電池２の外周に各々弾接させた構成としてもよい。
【００３３】
【発明の効果】
以上のように本発明によれば、構成部品数が少なく、組立ても容易で安価な電池収容器を得ることができるという有利な効果が得られる。
【図面の簡単な説明】
【図１】本発明の一実施の形態によるリモコン送信機の断面図
【図２】同分解斜視図
【図３】同部分斜視図
【図４】従来のリモコン送信機の断面図
【図５】同分解斜視図
【符号の説明】
２  電池
５  回路基板
５Ａ，５Ｂ  電極
５Ｃ  固定接点
５Ｄ  制御部
５Ｅ  送信部
６  弾性接点体
６Ａ  操作キー
６Ｂ  可動接点
７  ケース
７Ａ  キー孔
１１  筐体
１１Ａ  収容部
１１Ｂ  弾性突片
１１Ｃ  当接部
１２  蓋体
１３  電池収容器
【図１】
0003885632.tif 000002
【図２】
0003885632.tif 000003
【図３】
0003885632.tif 000004
【図４】
0003885632.tif 000005
【図５】
0003885632.tif 000006